(57)【要約】【課題】指針や標識の数の増加を抑えながら複数の情報をより分かりやすく表示することが可能な指針表示装置を提供する。【解決手段】指針と、この指針の下側に設けられ、指針の指し示す値を読み取るための目印となる複数の指標部を有する文字盤と、を備えた指針表示装置において、複数の指標部のうち少なくとも２つは、各々異なる情報に対応付けられ、この対応付けられた情報に応じてそれぞれ表示態様を変化させることが可能な可変指標部であり、表示させる情報に応じて可変指標部の表示態様を各々変化させる指標部制御手段を備える。【選択図】図５
2013253818.tif 000002
【特許請求の範囲】
【請求項１】
指針と、
この指針の下側に設けられ、前記指針の指し示す値を読み取るための目印となる複数の指標部を有する文字盤と、
を備えた指針表示装置において、
前記複数の指標部のうち少なくとも２つは、各々異なる情報に対応付けられ、この対応付けられた情報に応じてそれぞれ表示態様を変化させることが可能な可変指標部であり、
表示させる情報に応じて前記可変指標部の表示態様を各々変化させる指標部制御手段を備える
ことを特徴とする指針表示装置。
【請求項２】
前記可変指標部を前記文字盤の表示面に対して上下方向に移動させる上下動駆動部を備え、
前記指標部制御手段は、前記上下動駆動部を動作させて、表示させる情報に応じて各々設定された上下位置へ前記可変指標部を移動させる
ことを特徴とする請求項１記載の指針表示装置。
【請求項３】
前記上下動駆動部は、前記文字盤の下側に回転可能に設けられ、円環状に所定の配列で凹凸が設けられた凹凸設定板を備え、
前記可変指標部は、前記文字盤を貫通する上下動支持部を有し、この上下動支持部が前記上下動駆動部の凹凸に従って上下動されることで上下方向に移動され、
前記指標部制御手段は、前記可変指標部の上下位置に係る設定の組み合わせに対応して前記凹凸の位置が前記可変指標部の位置と重なるように前記凹凸設定板を回転させる
ことを特徴とする請求項２記載の指針表示装置。
【請求項４】
前記可変指標部は、前記凹凸設定板の表面から一定の距離を保つための保持部を備えることを特徴とする請求項３記載の指針表示装置。
【請求項５】
前記上下動駆動部の凹凸は、前記凹凸設定板の回転方向に対して傾斜を有する形状であることを特徴とする請求項３又は４記載の指針表示装置。
【請求項６】
前記可変指標部の側面には、所定の報知標識が設けられており、この報知標識は、前記可変指標部の位置が上昇した場合に、前記文字盤の上部に露出される
ことを特徴とする請求項３〜５の何れか一項に記載の指針表示装置。
【請求項７】
前記所定の報知標識は、前記可変指標部の他の部位と異なる色により彩色されたものであることを特徴とする請求項６記載の指針表示装置。
【請求項８】
前記文字盤の下側に回転可能に設けられ、上面に複数の異なる色の彩色部が形成された色表示板を備え、
前記可変指標部は、前記文字盤上に設けられた開口部であり、
前記指標部制御手段は、表示させる情報に応じて前記可変指標部にそれぞれ表示させる表示色を設定し、この表示色に対応する前記彩色部の組み合わせを前記開口部から選択的に露出させるように前記色表示板を回転させる
ことを特徴とする請求項１記載の指針表示装置。
【請求項９】
発光手段を備え、
前記可変指標部は、それぞれ前記文字盤上に設けられた開口部を備え、
前記指標部制御手段は、情報を表示させる際に前記発光手段に発光させ、この発光された光を表示させる情報に応じて設定された前記開口部から選択的に出射させる
ことを特徴とする請求項１記載の指針表示装置。
【請求項１０】
前記発光手段は、前記開口部の各々に対応して複数設けられ、
前記指標部制御手段は、光を出射させる前記開口部に対応する前記発光手段を選択的に発光させる
ことを特徴とする請求項９記載の指針表示装置。
【請求項１１】
外部機器から所定の情報を受信する無線通信手段を備え、
前記指標部制御手段は、この無線通信手段により取得された前記所定の情報に基づいて前記表示させる情報を設定する
ことを特徴とする請求項１〜１０の何れか一項に記載の指針表示装置。
【発明の詳細な説明】
【技術分野】
【０００１】
この発明は、指針を用いて情報を表示する指針表示装置に関する。
【背景技術】
【０００２】
アナログ電子時計のように、一又は複数の指針を文字盤上で回動させ、文字盤上の指標との位置関係によって情報を表示する指針式の表示装置がある。このような指針表示装置には、従来、多様な情報を表示可能なものがある。即ち、時針、分針、及び、秒針といった各指針をそれぞれ時刻の表示専用に用いるだけではなく、これらの指針を複数の数値や情報の表示に兼用したり、時刻の表示には用いられない付加的な機能針を更に備えたりするものがある。
【０００３】
このような場合に、文字盤上には、各表示情報に対応した複数の目盛や標識が設けられる場合がある。しかしながら、多くの目盛や標識が文字盤上に並列に設けられると、表示が煩雑になって何れの標識が用いられているのかユーザが判別しづらくなるという問題がある。そこで、特許文献１には、文字盤上の１〜１２時の各方向にそれぞれ対応させて１〜９、０の数字を示すといった分かりやすい対応関係を持たせ、文字盤上の目盛や標識の増加を抑えながら、複数の情報を選択的に表示させる構成が開示されている。
【先行技術文献】
【特許文献】
【０００４】
【特許文献１】特開平６−６６９６３号公報
【発明の概要】
【発明が解決しようとする課題】
【０００５】
しかしながら、指針式表示装置では、限られた本数の指針により選択的に情報を表示させることで、一の情報を表示している間には、他の情報の表示が困難になるという課題がある。一方で、同時に複数の表示を指し示すことが出来るように指針の数を増やすと、指針の増加に対応して当該指針を回転させるための駆動部（ステップモータ）や輪列機構が必要となり、小型、軽量、及び、省電力が要求される携帯端末などに適用することが困難になるという課題がある。また、何れの指針がどの情報を指示しているのかを判別するのが難しくなるという課題がある。
【０００６】
この発明の目的は、指針や標識の数の増加を抑えながら複数の情報をより分かりやすく表示することが可能な指針表示装置を提供することにある。
【課題を解決するための手段】
【０００７】
本発明は、上記目的を達成するため、
指針と、
この指針の下側に設けられ、前記指針の指し示す値を読み取るための目印となる複数の指標部を有する文字盤と、
を備えた指針表示装置において、
前記複数の指標部のうち少なくとも２つは、各々異なる情報に対応付けられ、この対応付けられた情報に応じてそれぞれ表示態様を変化させることが可能な可変指標部であり、
表示させる情報に応じて前記可変指標部の表示態様を各々変化させる指標部制御手段を備える
ことを特徴としている。
【発明の効果】
【０００８】
本発明に従うと、指針表示装置において、指針や標識の数の増加を抑えながら複数の情報をより分かりやすく表示することが出来るという効果がある。
【図面の簡単な説明】
【０００９】
【図１】本発明の実施形態のアナログ電子時計を含む情報表示システムを示す図である。
【図２】第１実施形態のアナログ電子時計の正面図である。
【図３】第１実施形態のアナログ電子時計の内部構成を説明するブロック図である。
【図４】第１実施形態のアナログ電子時計の回転板について説明する図である。
【図５】第１実施形態のアナログ電子時計における回転板と文字標識の動作について説明する図である。
【図６】第１実施形態のアナログ電子時計における回転板の回転位置と、文字標識による表示状態との対応を示す図表である。
【図７】第１実施形態のアナログ電子時計のＣＰＵが実行する報知処理の制御手順を説明するフローチャートである。
【図８】第２実施形態のアナログ電子時計の回転板の動作について説明する図である。
【図９】第３実施形態のアナログ電子時計の正面図、及び、回転板を示す図である。
【図１０】第１変形例のアナログ電子時計の回転板について説明する図である。
【図１１】第１変形例のアナログ電子時計における回転板と文字標識の動作について説明する図である。
【図１２】第４実施形態のアナログ電子時計の正面図である。
【図１３】第４実施形態のアナログ電子時計の内部構成を説明するブロック図である。
【図１４】第４実施形態のアナログ電子時計のＣＰＵが実行する報知処理の制御手順を示すフローチャートである。
【発明を実施するための形態】
【００１０】
以下、本発明の実施の形態を図面に基づいて説明する。
【００１１】
［第１実施形態］
図１は、本発明の指針表示装置の第１実施形態であるアナログ電子時計１０を含む情報表示システムを示す図である。
【００１２】
本実施形態の情報表示システム１は、互いに近距離無線通信が可能なスマートフォン４０とアナログ電子時計１０とにより構成される。近距離無線通信としては、特に限られないが、Bluetooth通信（登録商標：Bluetooth）が用いられる。アナログ電子時計１０は、スマートフォン４０から近距離無線通信により、スマートフォン４０への電話や電子メールの着信を示す通知や着信内容の確認通知をほぼリアルタイムで受信して、報知動作を行う。
【００１３】
図２は、アナログ電子時計１０の正面図である。
このアナログ電子時計１０は、側面及び底面を覆うケーシング５と、文字盤７と、時針４６１と、分針４６２とを備えている。時針４６１及び分針４６２（指針）は、文字盤７と前面を覆う図示略の風防ガラスとの間に、同一の回転軸に対して回転可能に設けられている。また、ケーシング５の側面には、リューズＣが設けられており、ユーザが回転操作可能となっている。
【００１４】
文字盤７の周縁部には、１時から１２時までの各正時を示す標識である時字（指標部）が３０度間隔で文字盤７の表面から上部に突出する形で設けられている。このうち、１２時を示す時字７１、３時を示す時字７２、６時を示す時字７３、及び、９時を示す時字７４は、後述するように、それぞれ所定の移動動作によって表示態様を変化させることが可能に設けられている。また、文字盤７上において、これらの時字７１〜７４（可変指標部）の近傍には、それぞれ、表示「ＴＥＬ」、「ＭＡＩＬ１」、「ＭＡＩＬ２」、「ＭＡＩＬ３」がなされている。
【００１５】
図３は、アナログ電子時計１０の内部構成を示すブロック図である。
【００１６】
このアナログ電子時計１０は、ＣＰＵ（Central Processing Unit）４１（指針部制御手段、と、ＲＯＭ（Read Only Memory）４２と、ＲＡＭ（Random Access Memory）４３と、操作部４４と、計時回路４５と、輪列機構４８を介して時針４６１及び分針４６２を連動して回転させるステップモータ５１と、輪列機構５０を介して回転板４７（凹凸設定板）を回転させるステップモータ５３と、ステップモータ５１、５３をステップ駆動するステップモータ駆動回路５４と、アンテナＡＮ４と、Bluetoothモジュール５５（無線通信手段）及びＵＡＲＴ（Universal Asynchronous Receiver Transmitter）５６と、振動モータ５７及びそのドライバ５８と、ＬＥＤ（発光ダイオード）５９及びそのドライバ６０と、ピエゾ素子６１及びそのドライバ６２と、ＣＰＵ４１と各部との間で信号のやり取りをするバス６３などを備えている。
【００１７】
ＣＰＵ４１は、アナログ電子時計１０の全体動作の統轄制御及び各種演算処理を行う。ＣＰＵ４１は、計時回路４５の計数する現在時刻に基づいてステップモータ駆動回路５４に制御信号を送ってステップモータ５１を駆動させ、時針４６１及び分針４６２により時刻表示を行わせる。ＣＰＵ４１は、Bluetoothモジュール５５を介してスマートフォン４０から取得された当該スマートフォン４０への着信情報に基づいて表示内容を決定し、この表示内容に従ってステップモータ駆動回路５４にステップモータ５３を駆動させ、回転板４７を回転させて時字７１〜７４を上下動作させることで各時字７１〜７４に対応する情報をそれぞれ表示させる。
【００１８】
ＲＯＭ４２は、ＣＰＵ４１が実行する種々のプログラムや初期設定データを格納する。ＲＯＭ４２には、スマートフォン４０とBluetooth通信を行うための通信プログラムが含まれる。ＲＡＭ４３は、ＣＰＵ４１に作業用のメモリ空間を提供し、一時データを記憶する。
【００１９】
操作部４４は、リューズＣを備え、ユーザがこのリューズＣに対して行った回転操作を電気信号に変換して、入力信号としてＣＰＵ４１に出力する。
【００２０】
計時回路４５は、現在時刻を計数して保持するカウンタである。この現在時刻が読み出されて、時針４６１及び分針４６２によって表示されたり、当該現在時刻データと各種機能に係る設定時刻データとが比較されて種々の動作が行われたりする。
【００２１】
Bluetoothモジュール５５は、アンテナＡＮ４を介して外部機器との間でBluetooth通信を行うための制御モジュールである。ＣＰＵ４１から送られた送信データは、ＵＡＲＴ５６でシリアル／パラレル変換などの処理が行われて、Bluetoothモジュール５５からスマートフォン４０などの外部機器に送信される。また、外部機器からBluetoothモジュール５５を用いて受信された受信データは、ＵＡＲＴ５６でシリアル／パラレル変換などの処理が行われて、ＣＰＵ４１へ出力される。
【００２２】
振動モータ５７、ＬＥＤ（発光ダイオード）５９、及び、ピエゾ素子（ＰＺＴ）６１は、それぞれ振動、光、及び、ブザー音を発することでユーザに通知を行うためのものである。ＣＰＵ４１からドライバ５８、６０、６２にそれぞれ制御信号が送られると、ドライバ５８、６０、６２は、それぞれ、振動モータ５７、ＬＥＤ５９、ピエゾ素子６１を動作させるのに必要な電圧信号に変換して出力する。
【００２３】
ステップモータ駆動回路５４は、ＣＰＵ４１からステップモータ５１、５３の駆動命令を含む制御信号を受け取ってステップモータ５１、５３を各々独立に駆動する駆動パルスを出力する。
ステップモータ５１、５３は、各々ステップモータ駆動回路５４から入力された駆動パルスによりステップ駆動されて、駆動パルスの電圧波形に基づいて正転方向又は逆転方向に所定角度（例えば、１８０度）回転する。
輪列機構４８、５０は、それぞれ複数の歯車列により構成され、輪列機構４８は、ステップモータ５１の回転角度を歯車比で調整して所定角度（例えば、１度）の回転を分針４６２に与える。時針４６１は、分針４６２に連動して回転する。また、輪列機構５０は、ステップモータ５３の回転角度を歯車比で調整して所定角度（例えば、６度）の回転を回転板４７に与える。ステップモータ駆動回路５４は、分針４６２及び回転板４７を独立に所定の早送り速度（例えば、６４ｐｐｓ（Pulse per second））で正転又は逆転移動させることが可能である。
【００２４】
次に、回転板４７及び時字７１〜７４の構造について説明する。
【００２５】
図４（ａ）は、回転板４７について説明する図である。また、図４（ｂ）は、回転板４７の配置について説明する図である。
【００２６】
回転板４７は、図４（ａ）に示すように円環状の形状を有し、内周面には、内歯車４７１が設けられている。また、回転板４７の上面には、同一の円周上に１２個の凹部４７２が設けられている。また、図４（ｂ）に示すように、回転板４７は、文字盤７に平行且つ同軸配置され、文字盤７の下部に設けられている。そして、ステップモータ５３の動作は、輪列機構５０から内歯車４７１に回転動作が伝達されて、回転板４７は、所定の角度ずつ回転する。これらのステップモータ５３、輪列機構５０、及び、回転板４７により上下動駆動部が構成される。回転板４７に設けられた１２個の凹部４７２は、回転板４７が回転することで、時字７１〜７４のうちの任意の組み合わせと位置が重なるように配置されている。
【００２７】
図５（ａ）は、図４（ｂ）のＡ−Ａ線における断面図である。
時字７３は、文字盤７の表面から露出される指標部７３１の裏面に支柱部７３２が固着され、更に、この支柱部７３２と下端部７３３（上下動支持部）が接続されて設けられている。下端部７３３の下部は、円錐構造となっており、回転板４７と接触する。時字７１、７２、７４は、それぞれ、指標部７１１、７２１、７４１、支柱部７１２、７２２、７４２、及び、下端部７１３、７２３、７４３を備え、時字７３の構造と同様の構造であるので、説明を省略する。ここで、回転板４７における時字７３との接触部分が凹部４７２内ではない場合には、時字７３が文字盤７の表面から上部に突出した状態が維持される。
【００２８】
図５（ｂ）には、図４（ａ）に示す回転位置に回転板４７を回転させた場合のＡ−Ａ線における断面図を示す。このとき、時字７３と回転板４７との接触部分が凹部４７２内となっている。図４及び図５（ｂ）で示すように、この凹部４７２の形状は、下端部７３３の形状と対応した円錐形である。回転板４７が回転して凹部４７２が下端部７３３の位置と重なると、時字７３の位置が凹部４７２の表面に沿って低下し、時字７３の上面が文字盤７の表面と略等しい高さとなる。回転板４７が更に回転して凹部４７２の位置が下端部７３３の位置からずれていくと、時字７３の上面は、再び上昇して元の位置に戻る。
【００２９】
上記の実施形態では、凹部４７２と下端部７３３の形状を円錐形としたが、例えば、回転板４７の回転方向にのみ傾斜を持つ形状など、回転板４７の回転の際に回転板４７と下端部７３３との間の抵抗を小さく保つことが出来る任意の形状に設定することができる。
また、上記の実施形態では、例えば、文字盤７が上向きではない場合には、時字７３が回転板４７の凹凸と関係なく上下動してしまう虞がある。そこで、支柱部７３２と下端部７３３との接続部分にばね部７３４を設け、文字盤７に対して下向きの弱い力が時字７３にかかるようにすることで、下端部７３３が常に回転板４７の表面に押し付けられる構成とすることが可能である。
【００３０】
本実施形態のアナログ電子時計１０では、時字７１〜７４は、それぞれ、スマートフォン４０における電話着信の有無、及び、電子メール１〜３の着信有無に関する情報と対応付けられている。そして、文字盤７の表面と時字７１〜７４の上面との高さの差が略等しい状態とすることで、各々着信が有ったことを示している。これらの着信の有無に係る情報は、スマートフォン４０から受信、取得されると、それぞれフラグ「ＦＴ」、「ＦＭ１」、「ＦＭ２」、「ＦＭ３」としてＲＡＭ４３に記憶されると共に、何れかのフラグ設定に変更があると、回転板４７を動作させて時字７１〜７４の表示態様を変更させる。
【００３１】
図６は、回転板４７の回転位置と、時字７１〜７４との関係を示す図である。
１２個の凹部４７２は、回転板４７上に１５度間隔で設定される２４箇所の内の半分が選択されて設けられている。アナログ電子時計１０では、この回転板４７の回転位置を１５度間隔で変化させることで、４個の時字７１〜７４を任意の組み合わせ（１６通り）で文字盤７に対して上下させることができる。
【００３２】
本実施形態のアナログ電子時計１０では、図４に示したように、回転板４７上に設けられた凹部４７２には、５箇所連続して１５度間隔で設けられた部分がある。１２時方向を基準方向として、この５個の凹部４７２が１５度〜７５度、１０５度〜１６５度、１９５度〜２５５度、又は、２８５度〜３４５度の何れかに配置されるように回転板４７を回転させることで、全ての時字７１〜７４は、凹部４７２と重ならない。一方、上記５個の凹部４７２が３０度〜９０度、１２０度〜１８０度、２１０度〜２７０度、又は、３００度〜３６０度（０度）の何れかに配置されるように回転板４７を回転させることで、全ての時字７１〜７４は、凹部４７２と位置が重なって文字盤７の表面と略等しい高さに低下する。また、１８０度反対側に配置された２つの時字を文字盤７の表面の高さに低下させる回転配置は、時字７１、７３の組み合わせ、及び、時字７２、７４の組み合わせについて各々２通りずつある。従って、これらの表示を行わせる動作の際には、回転板４７の回転前と回転後の角度差が小さいものを選択することができる。
【００３３】
次に、本実施形態のアナログ電子時計１０の動作について説明する。
図７は、本発明のＣＰＵ４１が実行する報知処理の制御手順を示すフローチャートである。
【００３４】
この報知処理は、アナログ電子時計１０とスマートフォン４０との間でBluetooth通信の接続が確立されると呼び出されて実行される。
【００３５】
先ず、ＣＰＵ４１は、スマートフォン４０からのデータ受信があったか否かを判別する（ステップＳ１０１）。Bluetoothモジュール５５によりデータが受信されていないと判別されている間は、ステップＳ１０１の処理を繰り返す。一方、データが受信されたと判別された場合には、ＣＰＵ４１は、次に、受信データが着信信号であるか否かを判別する（ステップＳ１０２）。
【００３６】
着信信号であると判別された場合には、次に、ＣＰＵ４１は、電話の着信信号であるか否かを判別する（ステップＳ１０３）。電話着信信号であると判別された場合には、ＣＰＵ４１は、フラグＦＴを「１」に設定し（ステップＳ１１３）、それから、処理をステップＳ１４１に進める。
【００３７】
電話着信信号ではないと判別された場合には、続いて、ＣＰＵ４１は、電子メール１の着信信号であるか否かを判別する（ステップＳ１０４）。電子メール１の着信信号であると判別された場合には、ＣＰＵ４１は、フラグＦＭ１を「１」に設定し（ステップＳ１１４）、それから、処理をステップＳ１４１に進める。
【００３８】
電子メール１の着信信号ではないと判別された場合には、更に、ＣＰＵ４１は、電子メール２の着信信号であるか否かを判別する（ステップＳ１０５）。電子メール２の着信信号であると判別された場合には、ＣＰＵ４１は、フラグＦＭ２を「１」に設定し（ステップＳ１１５）、それから、処理をステップＳ１４１に進める。電子メール２の着信信号ではないと判別された場合には、着信信号は、電子メール３の着信信号であると判断されるので、ＣＰＵ４１は、フラグＦＭ３を「１」に設定し（ステップＳ１１６）、それから、処理をステップＳ１４１に進める。
【００３９】
ステップＳ１０２の処理で、受信データが着信信号ではないと判別された場合には、次いで、ＣＰＵ４１は、受信データが着信の確認済みを示す確認信号であるか否かを判別する（ステップＳ１２２）。確認信号であると判別された場合には、ＣＰＵ４１は、その確認信号が電話着信内容の確認を示す電話確認信号であるか否かを判別する（ステップＳ１２３）。電話確認信号であると判別された場合には、ＣＰＵ４１は、フラグＦＴを「０」に設定し（ステップＳ１３３）、それから、処理をステップＳ１４１に進める。
【００４０】
確認信号が電話確認信号ではないと判別された場合には、次に、ＣＰＵ４１は、確認信号が電子メール１の着信内容の確認済みを示す電子メール１確認信号であるか否かを判別する（ステップＳ１２４）。電子メール１確認信号であると判別された場合には、ＣＰＵ４１は、フラグＦＭ１を「０」に設定し（ステップＳ１３４）、それから、処理をステップＳ１４１に進める。
【００４１】
電子メール１確認信号ではないと判別された場合には、ＣＰＵ４１は、更に、電子メール２の着信内容の確認済みを示す電子メール２確認信号であるか否かを判別する（ステップＳ１２５）。電子メール２確認信号であると判別された場合には、ＣＰＵ４１は、フラグＦＭ２を「０」に設定し（ステップＳ１３５）、それから、処理をステップＳ１４１に進める。電子メール２確認信号ではないと判別された場合には、確認信号は電子メール３確認信号であると判断できるので、ＣＰＵ４１は、フラグＦＭ３を「０」に設定し（ステップＳ１３６）、それから、処理をステップＳ１４１に進める。
【００４２】
何れかのフラグが変更設定されてステップＳ１４１の処理に移行すると、ＣＰＵ４１は、変更されたフラグの組み合わせに応じて回転板４７を回転させるためにステップモータ駆動回路５４に制御信号を出力する。そして、制御信号の出力が終了すると、ＣＰＵ４１は、報知処理を終了する。
【００４３】
また、ステップＳ１２２の判別処理で、受信データが確認信号ではないと判別された場合には、ＣＰＵ４１は、当該信号に対応するその他の処理を行って（ステップＳ１４２）、その後、報知処理を終了する。
【００４４】
以上のように、第１実施形態のアナログ電子時計１０は、文字盤７上における１２、３、６、９時の位置に設けられた４つの時字７１〜７４の表示態様が可変に構成されている。そして、Bluetooth通信によりスマートフォン４０から取得された着信情報に基づき、ＣＰＵ４１が回転板４７を回転させて、この４位置における凹部４７２の有無の組み合わせを調整することで、時字７１〜７４の表示態様を変化させる。このような構成及び動作処理により、アナログ電子時計１０は、指針の数を増やしたり、指針が指し示す文字盤７上の目盛りの数を増やしたりせずに情報の表示を行わせることができる。
【００４５】
また、指針の表示位置自体を変更させず、表示態様が可変とされる標識の位置自体も変化しないので、通常表示を継続する時刻表示を中断する必要が無く、同時に情報の表示を行わせることができる。
【００４６】
また、時字７１〜７４を文字盤７に対して垂直方向にのみ移動させるので、表示面のデザインを大きく変更させる必要が無く、通常の時刻表示の見易さを損なわない。
【００４７】
また、文字盤７の下側に凹部４７２が設けられた回転板４７を備え、時字７１〜７４は、指標部７１１〜７４１の裏面で文字盤７を貫通する支柱部７１２〜７４２及び下端部７１３〜７４３が凹部４７２に従って上下するように構成することで、各時字７１〜７４の上下動作に対し、各々モータを用いる必要が無い。また、凹部４７２を適切な配置で設けることで、回転板４７を回転させるだけで凹部４７２を任意の順列で時字７１〜７４の下部に配置することが出来るので、回転板４７を回転させる１つのステップモータ５３だけで複数の情報を同時に表示させることができる。
【００４８】
また、時字７１〜７４がばね部７１４〜７４４を備えることで、アナログ電子時計１０を任意の向きに配置した場合でも重力などの影響を受けず、時字７１〜７４が適切な上下位置にある状態を維持することができる。
【００４９】
また、下端部７１３〜７４３及び凹部４７２がそれぞれ円錐状の形状とすることで、回転板４７を回転させる際に、下端部７１３〜７４３の凹部４７２内への出入りの際の抵抗を小さくし、スムーズに動作させることができる。
【００５０】
また、外部機器を手元に保持できないような場合でも、簡素な表示により外部機器への複数の着信情報を容易に知得することが出来る。
【００５１】
［第２実施形態］
次に、第２実施形態のアナログ電子時計１０について説明する。
【００５２】
第２実施形態のアナログ電子時計１０の構成及び動作は、文字盤７ａと回転板４７ａの態様を除き、第１実施形態のアナログ電子時計１０の構成及び動作と同一であり、同一の符号を付して説明を省略する。
【００５３】
図８（ａ）は、第２実施形態のアナログ電子時計１０における回転板４７ａを示す平面図である。また、図８（ｂ）は、回転板４７ａの配置について説明する図である。
【００５４】
第２実施形態のアナログ電子時計１０では、図８（ａ）に示すように、回転板４７ａ（色表示板）上に凹部の代わりに円形の領域が設定され、当該円形領域は、回転板４７の他の表面領域と異なる色に彩色された彩色部４７２ａである。また、図８（ｂ）に示すように、文字盤７ａ上の１２時、３時、６時、及び、９時の各位置には、時字７１〜７４の代わりに円形の開口部７１ａ、７２ａ、７３ａ、７４ａが設けられている。この開口部７１ａ〜７４ａは、貫通された単純な孔であっても良いし、当該部分に透明な材質（例えば、ガラスやアクリル板）が埋め込まれていても良い。開口部７１ａ〜７４ａの位置は、回転板４７の開口部の位置と一致する円周上に設けられており、回転板４７の回転位置に応じて開口部７１ａ〜７４ａから選択的に彩色部４７２ａが露出されることで、第１実施形態のアナログ電子時計１０と同様にスマートフォン４０への電話着信及び電子メール１〜３の着信の報知が行われる。
【００５５】
以上のように、第２実施形態のアナログ電子時計１０は、文字盤７の１２、３、６、９時の方向に開口部７１ａ〜７４ａを備える。そして、文字盤７の下側に設けられた回転板４７ａを回転させて、開口部７１ａ〜７４ａから所望の色の組み合わせを選択的に露出させることで、文字盤７上の配置を一切変更せずに複数の情報を表示させることができる。
【００５６】
［第３実施形態］
次に、第３実施形態のアナログ電子時計１０ｂについて説明する。
図９（ａ）は、第３実施形態のアナログ電子時計１０ｂの正面図である。
【００５７】
第３実施形態のアナログ電子時計１０ｂは、第１実施形態のアナログ電子時計１０の文字盤７ｂに小窓８が設けられている点と、内歯車４７１ｂを介して回転される回転板４７ｂの表示内容が変更されている点を除いて第１実施形態のアナログ電子時計１０の構成と同一であり、同一の符号を付して説明を省略する。
【００５８】
図９（ｂ）は、回転板４７ｂの平面図である。
第３実施形態のアナログ電子時計１０ｂでは、回転板４７ｂは、日車としての表示機能を兼ね備えている。この回転板４７ｂには、１１．２５度間隔の３２箇所のうち、円周上に選択的に１７個の凹部４７２ｂが設けられ、これらの凹部４７２ｂが設けられた円周より内側の円周上に、１〜３１の日付を示す日付標識が設けられている。１７箇所の凹部４７２ｂは、それぞれ隣接する日付標識及び「３１」と「１」の間の空白の中間の角度位置に設けられ、また、日付標識と同じ円周上のそれぞれの角度位置には、それぞれ単語「ＲＥＣＥＩＶＥＤ」を示す文字標識が設けられている。
【００５９】
回転板４７ｂにおける１７箇所の凹部４７２ｂは、１１．２５度単位の角度位置により、１２、３、６、９時の時字７１〜７４のうち任意の１〜４個と重なるように設けられている。また、時字７１〜７４が何れかの角度位置にある場合には、図９（ｂ）において破線で示した小窓８の位置から、日付を示す標識に変わって文字標識「ＲＥＣＥＩＶＥＤ」のうちの何れかが露出される。一方、この実施形態のアナログ電子時計１０ｂでは、着信情報がない場合には小窓８から現在日時に対応する日付標識が表示される角度位置に回転板４７ｂが設定されるので、この間、時字７１〜７４と凹部４７２ｂとは常に重ならない。従って、第１実施形態における凹部４７２の配列とは異なり、凹部４７２ｂが４個の時字７１〜７４と一つも重ならないケースを含む必要はない。代わりに、例えば、１個の凹部４７２ｂや３個の凹部４７２ｂが時字７１〜７４と重なる場合を複数含む配列とすることで、報知動作の際に回転板４７ｂの回転ステップ数を低減させることができる。
【００６０】
第３実施形態のアナログ電子時計１０ｂにおいてＣＰＵ４１が実行する報知処理は、図７のステップＳ１４１の処理において、フラグが全て「０」の場合に小窓８から現在日時に対応する日付標識を表示させるように回転板４７ｂを回転させる点を除き同一であり、詳しい説明を省略する。
【００６１】
以上のように、第３実施形態のアナログ電子時計１０ｂによれば、日車を回転板４７ｂとして兼用し、報知すべき情報がない場合には、従来通り日付の表示を行わせるので、専用の回転板及びステップモータを備える必要がない。また、時刻表示に用いられる指針と比較して、常時表示を行わなくても支障が生じる可能性の低い日付表示を報知動作に係る情報表示と切り替えるので、時計としての本来の機能を大きく損なわずに多くの付加的な情報を表示させることができる。
【００６２】
［変形例１］
次に、第３実施形態のアナログ電子時計１０ｂの変形例について説明する。
【００６３】
この変形例１のアナログ電子時計１０ｂでは、回転板４７ｃの態様、及び、時字７１〜７４のみが第３実施形態のアナログ電子時計１０ｂと異なる。その他の構成、及び、動作手順については同一であるので、詳しい説明を省略する。
【００６４】
図１０は、変形例１のアナログ電子時計１０ｂにおける回転板４７ｃを説明する図である。図１０（ａ）は、回転板４７ｃの平面図であり、図１０（ｂ）は、回転板４７ｃの一部分を斜視した図である。
【００６５】
図１０（ａ）に示すように、この回転板４７ｃでは、円周上に凹部が設けられていない。代わりに、凹部が設けられていた回転位置全体が、図１０（ｂ）に示すように、回転板４７ｃの表面の他の部位よりも一段高く形成されている。
【００６６】
図１１は、変形例１のアナログ電子時計１０ｂにおいて、図４に示した第１実施形態のアナログ電子時計１０の断面線Ａ−Ａと対応する位置で時字７３を側面から見た場合の模式図である。
【００６７】
この変形例１のアナログ電子時計１０ｂでは、第１実施形態のアナログ電子時計１０とは反対に、回転板４７ｃの凸部４７２ｃが時字７３と重なる位置に来ると、通常の図１１（ａ）に示した状態から、図１１（ｂ）に示すように、凸面に合わせて時字７３が持ち上げられる。このとき、凸部の形状をテーパー状にしておくことで、時字７３の下端部７３３が凸部に引っかからず、よりスムーズに持ち上げられる。
【００６８】
ここで、指標部７３１の側面には、部分的に彩色された彩色部７３５（報知標識）が設けられている。この彩色部７３５は、図１１（ａ）に示すように、通常の状態では文字盤７ｂの表面下にあって上部から視認することができないが、図１１（ｂ）に示すように、凸部４７２ｃによって時字７３が持ち上げられると、文字盤７ｂの表面より上に露出されてユーザにより容易に知覚されるように配置されている。
【００６９】
なお、この変形例１のアナログ電子時計１０ｂでは、特定の色を露出させる彩色部７３５で示すこととしたが、特定の模様、又は、色と模様の組み合わせによってユーザに示すこととしても良い。特徴的な模様や色との組み合わせが露出されることで、ユーザがより容易に報知の有無を認識することができる。
【００７０】
以上のように、変形例１のアナログ電子時計１０ｂによれば、回転板４７ｂには、凹部ではなく、凸部４７２ｃを設けることでも時字７１〜７４を上下動させることが出来る。そして、凸部４７２ｃにより時字７１〜７４の位置を上昇させることによる報知動作により、報知情報があることをより明確にユーザに示すことができる。
【００７１】
また、時字７１〜７４の位置が上昇した際にのみ露出される指標部７１１〜７４１の側面部に対し、文字盤７や時字７１〜７４の上面の色と異なる彩色を行うことで、報知を行っていることをより明確に示すことができる。
【００７２】
［第４実施形態］
次に、第４実施形態のアナログ電子時計１０ｄについて説明する。
【００７３】
図１２は、第４実施形態のアナログ電子時計１０ｄの正面図である。また、図１３は、アナログ電子時計１０ｄの内部構成を示すブロック図である。
【００７４】
このアナログ電子時計１０ｄでは、文字盤７ｄに４個の開口部７１ｄ〜７４ｄが設けられ、これらの開口部７１ｄ〜７４ｄの下面側に４個の５９１〜５９４（発光手段）がそれぞれ一個ずつ設けられている。ＬＥＤ５９１〜５９４の出射光は、同一色でも良いし、異なる色であっても良い。また、出射されるＬＥＤの光を視認しやすいように、開口部７１ｄ〜７４ｄは、レンズなどで覆われていても良い。また、開口部７１ｄ〜７４ｄに係る文字盤７ｄの孔内壁面を鏡面としても良い。ＬＥＤ５９１〜５９４は、ドライバ６０によってそれぞれ点灯駆動される。また、このアナログ電子時計１０ｄは、回転板４７及びこの回転板４７を回転移動させる輪列機構５０、ステップモータ５３を備えない。その他の構成は、第１実施形態のアナログ電子時計１０と同一であり、同一の符号を付して説明を省略する。
【００７５】
図１４は、第４実施形態のアナログ電子時計１０ｄにおいて、ＣＰＵ４１が実行する報知処理の制御手順を示すフローチャートである。この報知処理は、第１実施形態の報知処理からステップＳ１４１の処理がステップＳ１４１ｄの処理に変更されている点を除いて同一であり、同一の符号を付して説明を省略する。
【００７６】
この第４実施形態のアナログ電子時計１０ｄにおける報知処理では、電話着信、電子メール着信１〜３の各フラグＦＴ、ＦＭ１〜ＦＭ３の設定が終了してステップＳ１４１ｄの処理に移行すると、ＣＰＵ４１は、フラグＦＴ、ＦＭ１〜ＦＭ３のうち、値が「１」に設定されたものにそれぞれ対応する位置のＬＥＤ５９１〜５９４を点灯させる制御信号をドライバ６０に出力する。そして、ＬＥＤ５９１〜５９４の点灯動作が終了すると、ＣＰＵ４１は、報知処理を終了する。
【００７７】
ここで、ＬＥＤ５９１〜５９４の点灯時間は、図示略の電源部に蓄えられた電力量に応じて適宜設定される。例えば、ＣＰＵ４１は、所定の時間点灯させた後に消灯させても良いし、所定の時間点灯させた後に、所定の時間周期での点滅動作に移行させても良い。また、点滅の時間周期を徐々に長くしたり、周期内の点灯時間を徐々に短くしたりしても良い。
また、各開口部７１ｄ〜７４ｄに対応して各々ＬＥＤ５９１〜５９４を設ける代わりに、一つのＬＥＤ５９に対し、各開口部７１ｄ〜７４ｄへ光を出力する光導管を備え、この光導管から開口部７１ｄ〜７４ｄへの出力可否を制御することとしても良い。この場合には、例えば、ＬＥＤ５９の上部に上記第１〜第３実施形態で用いられた回転板４７を設けて、回転板４７に設けられた開口部の位置と文字盤７ｄの開口部７１ｄ〜７４ｄの位置とを一致させないことで光の出力を禁止することができる。このような構成により、持続的に複数のＬＥＤを点灯させて各々電力が消費されることを防ぐことができる。
【００７８】
以上のように、第４実施形態のアナログ電子時計１０ｄは、文字盤７ｄの１２、３、６、９時の各位置の時字を開口部７１ｄ〜７４ｄとする。そして、情報の有無に応じて開口部７１ｄ〜７４ｄの下部に設けられたＬＥＤ５９１〜５９４を各々点灯させることで、それぞれの情報の報知を行う。このような構成とすることで、追加の可動部を設けず、且つ、従来の目盛や標識を増加させること無く複数の情報を報知することができる。
【００７９】
なお、本発明は、上記実施の形態に限られるものではなく、様々な変更が可能である。
例えば、上記実施の形態では、１２、３、６、９時の各位置の時字７１〜７４を動作させることとしたが、位置及び数これに限られない。回転板４７上に配列可能な凹部４７２の数に応じて適宜設定することができる。上記第１、第２の実施形態で示した４個の時字に対し、１５度間隔で２４箇所中１２箇所の凹部を設ける構成は、全ての組み合わせを表示可能な最低限の構成であるが、例えば、凹部の設定角度数及び配置数を適切に増やすことで、表示の切り替え時における回転角度数を低減させることができる。
【００８０】
また、報知動作と指針による表示動作とを完全に別個に行うことができるので、指針による表示自体は電磁パルスによるものではなく、純粋に機械的に回転動作が行われるものであっても良い。
【００８１】
また、上記実施の形態では、時字７１〜７４を上下動させることとしたが、報知動作に係る動きはこれに限られない。例えば、時字７１〜７４を文字盤７の平面内で回転動作させたり、平面内又は平面に垂直方向の軸に対してスピンさせたりしても良い。
【００８２】
また、上記実施の形態では、時字７１〜７４の下端部７１３〜７４３が直接回転板４７上の凹部４７２に沿って上下動することとしたが、磁気力などを用いて遠隔的に動作させることとしても良い。
【００８３】
また、上記実施の形態では、Bluetooth通信を用いてスマートフォン４０から取得された情報を表示するアナログ電子時計を例に挙げて説明したが、他の指針式表示装置であっても良い。例えば、各種物理量の計測値を示すセンサや歩数計などに用いることができる。また、報知情報は、外部機器から取得されたものに限られない。例えば、指針によるセンサ計測値の表示と共に、当該計測値に係る警告情報などを時字に表示させることとしても良い。
【００８４】
また、上記実施の形態では、一のスマートフォン４０への着信についての報知動作について説明したが、異なる複数の外部機器、例えば、スマートフォンへの着信と携帯電話への着信をそれぞれ報知する場合にも利用可能である。このような場合には、文字盤７上には、表示「ＴＥＬ」、「ＭＡＩＬ１」、「ＭＡＩＬ２」、「ＭＡＩＬ３」を設けず、ユーザが任意に設定可能としても良い。
その他、上記実施の形態で示した具体的な構成、配置や数値などの細部は、本発明の趣旨を逸脱しない範囲で適宜変更可能である。
【００８５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８６】
［付記］
＜請求項１＞
指針と、
この指針の下側に設けられ、前記指針の指し示す値を読み取るための目印となる複数の指標部を有する文字盤と、
を備えた指針表示装置において、
前記複数の指標部のうち少なくとも２つは、各々異なる情報に対応付けられ、この対応付けられた情報に応じてそれぞれ表示態様を変化させることが可能な可変指標部であり、
表示させる情報に応じて前記可変指標部の表示態様を各々変化させる指標部制御手段を備える
ことを特徴とする指針表示装置。
＜請求項２＞
前記可変指標部を前記文字盤の表示面に対して上下方向に移動させる上下動駆動部を備え、
前記指標部制御手段は、前記上下動駆動部を動作させて、表示させる情報に応じて各々設定された上下位置へ前記可変指標部を移動させる
ことを特徴とする請求項１記載の指針表示装置。
＜請求項３＞
前記上下動駆動部は、前記文字盤の下側に回転可能に設けられ、円環状に所定の配列で凹凸が設けられた凹凸設定板を備え、
前記可変指標部は、前記文字盤を貫通する上下動支持部を有し、この上下動支持部が前記上下動駆動部の凹凸に従って上下動されることで上下方向に移動され、
前記指標部制御手段は、前記可変指標部の上下位置に係る設定の組み合わせに対応して前記凹凸の位置が前記可変指標部の位置と重なるように前記凹凸設定板を回転させる
ことを特徴とする請求項２記載の指針表示装置。
＜請求項４＞
前記可変指標部は、前記凹凸設定板の表面から一定の距離を保つための保持部を備えることを特徴とする請求項３記載の指針表示装置。
＜請求項５＞
前記上下動駆動部の凹凸は、前記凹凸設定板の回転方向に対して傾斜を有する形状であることを特徴とする請求項３又は４記載の指針表示装置。
＜請求項６＞
前記可変指標部の側面には、所定の報知標識が設けられており、この報知標識は、前記可変指標部の位置が上昇した場合に、前記文字盤の上部に露出される
ことを特徴とする請求項３〜５の何れか一項に記載の指針表示装置。
＜請求項７＞
前記所定の報知標識は、前記可変指標部の他の部位と異なる色により彩色されたものであることを特徴とする請求項６記載の指針表示装置。
＜請求項８＞
前記文字盤の下側に回転可能に設けられ、上面に複数の異なる色の彩色部が形成された色表示板を備え、
前記可変指標部は、前記文字盤上に設けられた開口部であり、
前記指標部制御手段は、表示させる情報に応じて前記可変指標部にそれぞれ表示させる表示色を設定し、この表示色に対応する前記彩色部の組み合わせを前記開口部から選択的に露出させるように前記色表示板を回転させる
ことを特徴とする請求項１記載の指針表示装置。
＜請求項９＞
発光手段を備え、
前記可変指標部は、それぞれ前記文字盤上に設けられた開口部を備え、
前記指標部制御手段は、情報を表示させる際に前記発光手段に発光させ、この発光された光を表示させる情報に応じて設定された前記開口部から選択的に出射させる
ことを特徴とする請求項１記載の指針表示装置。
＜請求項１０＞
前記発光手段は、前記開口部の各々に対応して複数設けられ、
前記指標部制御手段は、光を出射させる前記開口部に対応する前記発光手段を選択的に発光させる
ことを特徴とする請求項９記載の指針表示装置。
＜請求項１１＞
外部機器から所定の情報を受信する無線通信手段を備え、
前記指標部制御手段は、この無線通信手段により取得された前記所定の情報に基づいて前記表示させる情報を設定する
ことを特徴とする請求項１〜１０の何れか一項に記載の指針表示装置。
【符号の説明】
【００８７】
１     情報表示システム
５     ケーシング
７、７ａ、７ｂ、７ｄ 文字盤
８     小窓
１０、１０ｂ、１０ｄ アナログ電子時計
４０   スマートフォン
４１   ＣＰＵ
４２   ＲＯＭ
４３   ＲＡＭ
４４   操作部
４５   計時回路
４６１ 時針
４６２ 分針
４７、４７ａ〜４７ｃ 回転板
４７１、４７１ｂ     内歯車
４７２、４７２ｂ     凹部
４７２ａ      彩色部
４７２ｃ      凸部
４８、５０    輪列機構
５１、５３    ステップモータ
５４   ステップモータ駆動回路
５５   Bluetoothモジュール
５６   ＵＡＲＴ
５７   振動モータ
５８   ドライバ
５９、５９１〜５９４ ＬＥＤ
６０   ドライバ
６１   ピエゾ素子
６２   ドライバ
６３   バス
７１〜７４    時字
７１１〜７４１       指標部
７１２〜７４２       支柱部
７１３〜７４３       下端部
７１４〜７４４       ばね部
７１ａ〜７４ａ、７１ｄ〜７４ｄ     開口部
７３５ 彩色部
ＡＮ４ アンテナ
Ｃ     リューズ
【図１】
2013253818.tif 000003
【図２】
2013253818.tif 000004
【図３】
2013253818.tif 000005
【図４】
2013253818.tif 000006
【図５】
2013253818.tif 000007
【図６】
2013253818.tif 000008
【図７】
2013253818.tif 000009
【図８】
2013253818.tif 000010
【図９】
2013253818.tif 000011
【図１０】
2013253818.tif 000012
【図１１】
2013253818.tif 000013
【図１２】
2013253818.tif 000014
【図１３】
2013253818.tif 000015
【図１４】
2013253818.tif 000016